(57)【要約】      （修正有）【課題】良好な導電性と安定性を有する電気刺激装置の導電構造を提供する。【解決手段】少なくとも一つの電極シートと、一つの電気回路板１３と、導電固定装置と、を備える。係る少なくとも一つの電極シートを伸した導電性線材２０を有し、導電性線材の一面に導電層２１が塗布され、導電性線材の縁部が導電接続端２３を形成し、導電接続端に導電通り穴２４を設ける。係る電気回路板に電気接続するための少なくとも一つの導電接点１３１を設け、導電接点が係る電気回路板の位置決め穴に対向しており、係る導電固定装置が導電接続素子３１と、締め付け素子３２とを含む。前述構成により、導電接続素子を導電性線材の導電通り穴に通した上で、導電接点と接続し、締め付け素子を電接続素子と、電気回路板の位置決め穴に通して、圧迫してねじ込み接続することによって、導電接続素子と、導電接点とを緊密に接触して電気を導通される。【選択図】図６
0003226234.tif 000002
【実用新案登録請求の範囲】
【請求項１】
少なくとも一つの電極シートと、一つの電気回路板と、導電固定装置、とを備え、
前記少なくとも一つの電極シートに導電性線材を伸ばしていて、前記導電性線材の一面に導電層を塗布し、前記導電性線材の縁部が導電接続端を形成し、前記導電接続端に導電通り穴を設け、
前記電気回路板に電気接続するため少なくとも一つの導電接点を設け、前記導電接点を前記電気回路板の位置決め穴に対向して設け、  
前記導電固定装置が導電接続素子と、締め付け素子とを含む、前記導電接続素子がシート状の第１誘導接続部を有し、前記第１誘導接続部の一方に柱状誘導素子が延設され、前記柱状誘導素子が柱状貫通穴を有し、前記柱状貫通穴を前記第１誘導接続部に貫き、前記柱状誘導素子の下端部に第２誘導接続部を有し、前記第１誘導接続部と、前記第２誘導接続部が対向して前記導電接続端の両側へ緊密に取り付け、
前述構成により、前記導電接続素子を前記導電性線材の前記導電通り穴を通した上、前記第１誘導接続部と、前記第２誘導接続部とを対向して、前記導電接続端の両側へ緊密に取り付けて、前記第２誘導接続部と、前記導電接点とを接触し、締め付け素子を前記柱状貫通穴と、前記電気回路板の位置決め穴に通して圧迫しネジ締付けて、前記導電接続素子と、前記導電接点とを緊密に接触して電気を導通することを特徴とする、電気刺激装置の導電構造。
【請求項２】
前記電気刺激装置が電極シートを設置するための本体装置を含む、前記本体装置に前記電気回路板を取り付けるための収容空間を設けることを特徴とする、請求項１記載の電気刺激装置の導電構造。
【請求項３】
前記本体装置に設けるベースシートをさらに含む、前記ベースシートが前記収容空間に対応されたベースシート貫通穴を有し、前記ベースシートが前記電極シートを受け持つことを特徴とする、請求項１記載の電気刺激装置の導電構造。
【請求項４】
絶縁フィルムをさらに含む、前記絶縁フィルムが前記電極シートに合わせた貫通穴を設けられていることを特徴とする、請求項３記載の電気刺激装置の導電構造。
【請求項５】
前記導電性線材と前記電極シートとを一体型成形であることを特徴とする、請求項１記載の電気刺激装置の導電構造。
【請求項６】
前記導電性線材が導電層に対向するもう一面が絶縁表面を形成し、前記絶縁の表面に絶縁層をさらに塗布することを特徴とする、請求項１記載の電気刺激装置の導電構造。
【考案の詳細な説明】
【技術分野】
【０００１】
本考案は導電性構造に関し、特に電気刺激装置の導電構造設計において、全体に極めて良い導電性、安定性を有する電気刺激装置の導電構造で関する。
【背景技術】
【０００２】
公知の電気刺激装置（例えば、ＴＥＮＳ、ＥＭＳなど）は、低周波パルスを経皮に筋肉を収縮させることによって、運動保健、筋肉を鍛える効果を有する。公知の筋肉訓練・運動分野で利用していた低周波パルス装置の導電技術については図１、２に示すように、電気刺激装置の導電構造９０が複数の電極シート９１を含む。電極シート９１に導電性線材９２を延設され、導電性線材９２は例えば、ポリイミド（ＰＩ）、ポリエチレンテレフタレート（ＰＥＴ）などの可とう性のベースシート体である。導電性線材９２の一面に導電層９２１（例えば、銀ペースト等の導電材）が塗布され、導電性線材９２は導電層９２１に対向するもう面が絶縁表面（絶縁層）９２２を形成し、導電性線材９２の縁部が導電接続端９２３を形成し、導電接続端９２３に導電通り穴９２４を設ける。さらに、係る電気回路板９３底面の適切場所に導電接点９３１を設ける。導電接点９３１は例えば銅箔層のシート体を形成し、電気回路板９３の位置決め穴９３２に対応されている。組み合わせ固定するときは図２に示すように、導電性線材９２を電気回路板９３の下方に延して、導電層９２１の導電接続端９２３を電気回路板９３の導電接点９３１に接触させ、引き続き、ボルト９４を導電通り穴９２４と、位置決め穴９３２に通して、ネジ締付け固定することによって、電極シート９１と電気回路板９３との電気接続を完了する。
【考案の概要】
【考案が解決しようとする課題】
【０００３】
前述電気刺激装置の導電構造９０は電気接続及び固定と組み合わせを達成できるが、しかしながら、欠点が残されている。一例として、導電性線材９２の導電層９２１（例えば、銀ペースト）の接地は面のみに塗布しなければ、コストと製造時間がかさばってしまう。さらに、導電性線材９２自体が捩って折りたたむことはできない。このように、電気接続位置が制限されてしまい、図２に示すように、もし、導電接点９３１を電気回路板９３の上方に設けると、導電性線材９２の導電層９２１が導電接点９３１と接触して接続導電及び固定することはできず、電気回路板９３に電子素子設置の柔軟性を大きく制限してしまい、理想と言えないである。さらに、導電性線材９２の導電接続端９２３を締め付け固定するとき、締め付け力量が適切でないまたは過大な引張力量を加えると、導電層９２１を破壊してしまい、接触不良により、製品の不具合や機能しない現象を引き起こされる。この点も合わせて改善の必要がある。そのため、公知電気刺激装置の導電構造の技術及び前述した欠点を改善することが業者の努力する重要な方向である。従って、従来の電気刺激装置の導電や構成技術の欠点をいかに改善することは、業界が努力して解決・克服しなければならない重要な課題である。
【０００４】
公知技術の電気刺激装置の使用上の欠点及びその構造設計が理想でない現状について、本考案人は解決案を着手し、便利性、実用性の電気刺激装置の導電構造の開発を目指して、長い期間に種々研究した結果、本考案を思料した次第である。
【課題を解決するための手段】
【０００５】
本考案の一目的は極めて良い導電配置の構成を設けることでもって、電気回路板で電子部品の敷設及び柔軟性を富む配置によって、導電性線材の導電接続端が電気回路板の導電接点と直接しなければならない制限を受けずに済む、極めて良い実用性と、経済効果を達成する電気刺激装置を提供する。
【０００６】
本考案のもう一つの目的は極めて安定した導電構造、かつ、簡単に破損しない、製品の操作機能及び寿命が確保される電気刺激装置を提供する。
【０００７】
考案が前述目的を達成するために講じる手段は少なくとも一つの電極シートと、一つの電気回路板と、導電固定装置と、を備える。係る少なくとも一つの電極シートを伸した導電性線材を有し、導電性線材の一面に導電層が塗布していて、導電性線材の縁部が導電接続端を形成し、導電接続端に導電通り穴を設ける。係る電気回路板に電気接続するため少なくとも一つの導電接点を設けていて、導電接点を係る電気回路板の位置決め穴に対向して設ける。係る導電固定装置が導電接続素子と、締め付け素子とを含む。係る導電固定装置がシート状の第１誘導接続部を有し、第１誘導接続部の一方に柱状誘導素子を延設して、柱状誘導素子に柱状貫通穴を設けられ、係る柱状貫通穴が第１誘導接続部を貫く、柱状誘導素子の下端部が第２誘導接続部を設けられている。前述構成により、導電接続素子を導電性線材の導電通り穴に通すことによって、第１誘導接続部と、第２誘導接続部とを対向して導電接続端の両側にて緊密に設けた上、第２誘導接続部と、導電接点とを接触し、引き続き、締め付け素子を柱状貫通穴と、電気回路板の位置決め穴に通して、圧迫によりねじ込み接続させて、導電接続素子と、導電接点とを緊密に接触して電気を導通させる。
【０００８】
本実施例において、係る電気刺激装置が電極シートを設けるための本体装置を有し、本体装置が電気回路板を設けるための収容空間を有する。
【０００９】
本実施例において、本体装置に設けるベースシートを更に含む、ベースシートに収容空間に対応されたベースシート貫通穴を設けられ、ベースシートが電極シートを受け持って設けることができる。
【００１０】
本実施例において、絶縁フィルムを更に含む、絶縁フィルムが電極シートと対応した貫通穴を設けられている。
【００１１】
本実施例において、導電性線材と、電極シートが一体型成形によって形成される。
【００１２】
本実施例において、導電性線材が導電層に対するもう一面が絶縁表面を形成し、さらに、絶縁表面が絶縁層を塗布されている。
【００１３】
審査官が本案の技術特徴及び達成する効果のさらなる理解及び認識を図るため、好ましい実施態様図と合わせて、以下のとおり詳細説明する。
【図面の簡単な説明】
【００１４】
【図１】公知技術の構造組み合わせを示す概略図である。
【図２】公知技術の組合せ断面図である。
【図３】本考案の第１実施例による分解概略図である（その１）。
【図４】本考案の第１実施例の分解概略図である（その２）。
【図５】本考案第１実施例の局所の分解を示す態様図である。
【図６】本考案第１実施例の局所組み合わせを示す断面態様図である。
【図７】本考案第２実施例の局所組み合わせを示す断面態様図である
【図８】本考案の組み合わせ完了態様を示す図である。
【考案を実施するための形態】
【実施例】
【００１５】
図３ないし図５、本考案の電気刺激装置の導電構造第１実施例を参照する。本実施例において、電気刺激装置１（例えば、ＴＥＮＳ、ＥＭＳ）を用いて説明する。本考案の電気刺激装置１が本体装置１０を有し、例えばより良い可とう性と、快適度を図るため、シリコン部材によって構成しても良い。ただし、これに限られない。本体装置１０の両側にそれぞれ固定ベルト１１を接続し、固定ベルト１１によって、本体装置１０（電気刺激装置１）を体の部位に固定させる。本体装置１０の内部側面に収容空間１２を設けて、制御装置（図示されない）などの電子装置を取り付ける。本実施例において、導電性構造が電気回路板１３をさらに含む。係る電気回路板１３を収容空間１２の内部（例えば、締め付け固定）に取り付ける。電気回路板１３の上面に複数の導電接点１３１を設け、導電接点１３１を電気回路板１３に電気接続して、外部接続の導電区域とする。導電接点１３１の中心部が電気回路板１３に対向して位置決め穴１３２を設けられている。さらに、ベースシート１４を本体装置１０に設け、ベースシート１４のほぼ中央区域は収容空間１２に合わせて、ベースシート貫通穴１４１を設ける。複数の電極シート１５をベースシート１４（本体装置１０）に設け、電極シート１５に導電性線材２０（以下に詳細説明する）を延在して、電気回路板１３と電気接続を形成する。絶縁フィルム１６が電極シート１５に合わせて、複数の貫通穴１６１を設け、これを電気刺激装置１で最後に取り付けるフィルム体として、電極シート１５が貫通穴１６１を介して、体に刺激を与えるに使用される（図８）。
【００１６】
図５に示すように、導電性線材２０は可とう性のベースシート体は例えばポリイミド（ＰＩ）、ポリエチレンテレフタレート（ＰＥＴ）を使用し、導電性線材２０は一般として、電極シート１５と体型成形することができる。導電性線材２０の一面に導電層２１を塗布し、導電層２１の部材は例えば銀ペースト、黒鉛などの導電材を使用する。導電性線材２０が導電層２１に対向するもう面が絶縁表面２２を形成し、絶縁表面２２をさらに絶縁層（図示されない）を塗布しても良い。導電性線材２０の縁部が導電接続端２３を形成し、導電接続端２３に導電通り穴２４を設け、導電性線材２０の導電接続端２３を収容空間１２に伸ばして、電気回路板１３との電気接続に用いる。
【００１７】
係る導電固定装置３０は、導電性線材２０を電気回路板１３に固定するために用いられる。固定装置３０は、導電接続素子３１と、締め付け素子３２とを含む。導電接続素子３１がリングシート状の第１誘導接続部３１１を含む。第１誘導接続部３１１の下方（図５の方位）に柱状誘導素子３１２が延在され、柱状誘導素子３１２に柱状貫通穴３１０を内設して、柱状貫通穴３１０も同じく導電接続素子３１（第１誘導接続部３１１）を貫通させ、柱状誘導素子３１２の下端部が第２誘導接続部３１３を有し、本実施例において、柱状誘導素子３１２がリベットを実施する。ただし、この限りではない。導電接続素子３１２が圧迫を受けると、下端部が変形し外部に広げて、第２誘導接続部３１３を形成する。締め付け素子３２は例えば、スクリュウ、ねじなどを実施しても良い。締め付け素子３２が柱状貫通穴３１０に合わせて締め付ける。
【００１８】
図６を合わせて参照する。本考案電気刺激装置の導電構造を組み付けるときは、導電接続素子３１を導電性線材２０の導電接続端２３の導電通り穴２４を貫いて、柱状誘導素子３１２が圧迫を受けて、下端部が変形し広げて第２誘導接続部３１３を形成して、第１誘導接続部３１１と、第２誘導接続部３１３とを対向して緊密に導電接続端２３の両側に設ける。引き続き、第２誘導接続部３１３と、導電接点１３１とを接触させ、さらに、締め付け素子３２を柱状貫通穴３１０と、電気回路板１３の位置決め穴１３２に通して、圧迫し締め付けによって、導電接続素子３１と、導電接点１３１とを緊密に接触し電気接続させて、導電性線材２０と、電気回路板１３の電気接続及び固定操作を完了する。
【００１９】
引き続き図７、本考案電気刺激装置の導電構造の第２実施例を参照する。具体的な異なる点は、電気回路板１３の組み立て相関位置である。図に示すように、導電接続素子３１を導電性線材２０の導電接続端２３の導電通り穴２４に通して、柱状誘導素子３１２が圧迫を受け、下端部が変形して外部に広げ第２誘導接続部３１３を形成し、第１誘導接続部３１１と、第２誘導接続部３１３とを導電接続端２３の両側へ緊密に設置した上、第２誘導接続部３１３と、電気回路板１３底面の導電接点１３１が締め付け素子３２を下方より柱状貫通穴３１０と、電気回路板１３の位置決め穴１３２を通して、圧迫してねじ締め付けによって、導電接続素子３１と、導電接点１３１とを緊密に接触して電気接続させ導電性線材２０の導電層２１と、電気回路板１３底面の導電接点１３１の電気接続と固定操作を完了する。このとき、導電性線材２０の絶縁表面２２  （絶縁層）が導電接点１３１に面しているものの、導電接続素子３１の両方向による案内接続働きによって、導電性線材２０と、電気回路板１３の電気接続を実現することができ、導電性線材２０をねじ込んで折り返す必要はない。
【００２０】
本考案の電気刺激装置の導電構造は前述構成により、電気刺激装置に極めて良い両面に導電配置の構成によって、電気回路板での電子素子の配置に便利するとともに、柔軟性に取り付けスペースを有し、使用面に極めて良い実用性と経済効果を有する。本考案を適用すれば、電気刺激装置の導電構造が安定に破損しにくいことから、製品操作の効率と寿命が確保される。
【００２１】
以上の具体的な実施例を用いて本考案を詳細説明しているが、本考案は、以上に取り上げた実施例に限らず、本考案の技術構想範囲に基づいて、それらの構造に対する変化および修飾もなお本考案の請求範疇に含めるものとする。
【符号の説明】
【００２２】
１    電気刺激装置
１０    本体装置
１１    固定ベルト
１２    収容空間
１３    電気回路板
１３１    導電接点
１３２    取り付け孔
１４    ベースシート
１４１    ベースシート貫通穴
１５    電極シート
１６    絶縁フィルム
１６１    貫通穴
２０    導電性線材
２１    導電層
２２    絶縁表面
２３    電気接続端
２４    導電通り穴
３０    導電固定装置
３１    導電接続素子
３２    締め付け素子
３１０    柱状貫通穴
３１１    第１誘導接続部
３１３    第２誘導接続部
３１２    柱状誘導素子
【図１】
0003226234.tif 000003
【図２】
0003226234.tif 000004
【図３】
0003226234.tif 000005
【図４】
0003226234.tif 000006
【図５】
0003226234.tif 000007
【図６】
0003226234.tif 000008
【図７】
0003226234.tif 000009
【図８】
0003226234.tif 000010
【手続補正書】
【提出日】令和2年3月9日(2020.3.9)
【手続補正１】
【補正対象書類名】実用新案登録請求の範囲
【補正対象項目名】全文
【補正方法】変更
【補正の内容】
【実用新案登録請求の範囲】
【請求項１】
少なくとも一つの電極シートと、一つの電気回路板と、導電固定装置、とを備え、
前記少なくとも一つの電極シートに導電性線材を伸ばしていて、前記導電性線材の一面に導電層を塗布し、前記導電性線材の縁部が導電接続端を形成し、前記導電接続端に導電通り穴を設け、
前記電気回路板に電気接続するため少なくとも一つの導電接点を設け、前記導電接点を前記電気回路板の位置決め穴に対向して設け、
前記導電固定装置が導電接続素子と、締め付け素子とを含む、前記導電接続素子がシート状の第１誘導接続部を有し、前記第１誘導接続部の一方に柱状誘導素子が延設され、前記柱状誘導素子が柱状貫通穴を有し、前記柱状貫通穴を前記第１誘導接続部に貫き、前記柱状誘導素子の下端部に第２誘導接続部を有し、前記第１誘導接続部と、前記第２誘導接続部が対向して前記導電接続端の両側へ緊密に取り付け、
前述構成により、前記導電接続素子を前記導電性線材の前記導電通り穴を通した上、前記第１誘導接続部と、前記第２誘導接続部とを対向して、前記導電接続端の両側へ緊密に取り付けて、前記第２誘導接続部と、前記導電接点とを接触し、締め付け素子を前記柱状貫通穴と、前記電気回路板の位置決め穴に通して圧迫しネジ締付けて、前記導電接続素子と、前記導電接点とを緊密に接触して電気を導通することを特徴とする、電気刺激装置の導電構造。
【請求項２】
前記電気刺激装置が電極シートを設置するための本体装置を含む、前記本体装置に前記電気回路板を取り付けるための収容空間を設けることを特徴とする、請求項１記載の電気刺激装置の導電構造。
【請求項３】
前記本体装置に設けるベースシートをさらに含む、前記ベースシートが前記収容空間に対応されたベースシート貫通穴を有し、前記ベースシートが前記電極シートを受け持つことを特徴とする、請求項２記載の電気刺激装置の導電構造。
【請求項４】
絶縁フィルムをさらに含む、前記絶縁フィルムが前記電極シートに合わせた貫通穴を設けられていることを特徴とする、請求項３記載の電気刺激装置の導電構造。
【請求項５】
前記導電性線材と前記電極シートとを一体型成形であることを特徴とする、請求項１記載の電気刺激装置の導電構造。
【請求項６】
前記導電性線材が導電層に対向するもう一面が絶縁表面を形成し、前記絶縁の表面に絶縁層をさらに塗布することを特徴とする、請求項１記載の電気刺激装置の導電構造。